(57)【要約】  本開示のある態様は、ワイヤレス通信システム内で送信するためのスペクトラム拡散符号化信号を生成するための方法に関し、特に、受信機で計算上効率的な周波数領域処理を容易にする拡散符号を有するデータの拡散シーケンスを生成するための方法に関する。【選択図】図４
2011520403.tif 000002
【特許請求の範囲】
【請求項１】
データストリームをデータのサブブロックに分割することと、
Ｍ個の直交行を有する行列を使用して各サブブロックを拡散することと、なお、前記拡散することは、拡散データストリームを生成するために、Ｍ回各サブブロックを繰り返すことと、前記繰り返されたサブブロックのうちの１つに前記行列の各行を適用することと、を備える、
前記拡散データストリームを送信するここと、
を備えるワイヤレス通信のための方法。
【請求項２】
前記繰り返されたサブブロックのうちの１つに前記行列の各行を適用することは、前記サブブロックのエレメントとＮ／Ｍ回繰り返された前記行列の前記行を有するエレメントを乗算することを備え、Ｎは、前記サブブロックの長さである、
請求項１に記載の方法。
【請求項３】
前記行列は、アダマール行列である、
請求項１に記載の方法。
【請求項４】
前記アダマール行列は、２つの行および２つの列を有する、
請求項３に記載の方法。
【請求項５】
前記アダマール行列は、４つの行および４つの列を有する、
請求項３に記載の方法。
【請求項６】
データストリームをデータのサブブロックに分割するように構成された回路と、
Ｍ個の直交行を有する行列を使用して各サブブロックを拡散するように構成された拡散器と、なお、前記拡散器は、拡散データストリームを生成するために、Ｍ回各サブブロックを繰り返すように構成された回路と、前記繰り返されたサブブロックのうちの１つに前記行列の各行を適用するように構成された回路と、を備える、
前記拡散データストリームを送信するように構成された送信機と、
を備えるワイヤレス通信のための装置。
【請求項７】
前記繰り返されたサブブロックのうちの１つに前記行列の各行を適用するように構成された前記回路は、前記サブブロックのエレメントとＮ／Ｍ回繰り返された前記行列の前記行を有するエレメントを乗算することを備え、Ｎは、前記サブブロックの長さである、
請求項６に記載の装置。
【請求項８】
前記行列は、アダマール行列である、
請求項６に記載の装置。
【請求項９】
前記アダマール行列は、２つの行および２つの列を有する、
請求項８に記載の装置。
【請求項１０】
前記アダマール行列は、４つの行および４つの列を有する、
請求項８に記載の装置。
【請求項１１】
データストリームをデータのサブブロックに分割するための手段と、
Ｍ個の直交行を有する行列を使用して各サブブロックを拡散するための手段と、なお、前記拡散するための手段は、拡散データストリームを生成するために、Ｍ回各サブブロックを繰り返すための手段と、前記繰り返されたサブブロックのうちの１つに前記行列の各行を適用するための手段とを備える、
前記拡散データストリームを送信するための手段と、
を備えるワイヤレス通信のための装置。
【請求項１２】
前記繰り返されたサブブロックのうちの１つに前記行列の各行を適用する手段は、前記サブブロックのエレメントとＮ／Ｍ回繰り返された前記行列の前記行を有するエレメントを乗算することを備え、Ｎは、前記サブブロックの長さである、
請求項１１に記載の装置。
【請求項１３】
前記行列は、アダマール行列である、
請求項１１に記載の装置。
【請求項１４】
前記アダマール行列は、２つの行および２つの列を有する、
請求項１３に記載の方法。
【請求項１５】
前記アダマール行列は、４つの行および４つの列を有する、
請求項１３に記載の装置。
【請求項１６】
データストリームをデータのサブブロックに分割するために実行可能な命令と、
Ｍ個の直交行を備える行列を使用して各サブブロックを拡散するために実行可能な命令と、なお、前記拡散するために実行可能な命令は、拡散データストリームを生成するために、Ｍ回各サブブロックを繰り返すために実行可能な命令と、前記繰り返されたサブブロックのうちの１つに前記行列の各行を適用するために実行可能な命令と、を備える、
前記拡散データストリームを送信するために実行可能な命令と、
で符号化されたコンピュータ可読媒体を備える、
ワイヤレス通信のためのコンピュータプログラム製品。
【請求項１７】
少なくとも１本のアンテナと、
データストリームをデータのサブブロックに分割するように構成された回路と；
Ｍ個の直交行を備える行列を使用して各サブブロックを拡散するように構成された拡散器と、なお、前記拡散器は、拡散データストリームを生成するために、Ｍ回各サブブロックを繰り返すように構成された回路と、前記繰り返されたサブブロックのうちの１つに前記行列の各行を適用するように構成された回路とを備える、
前記拡散されたデータストリームを前記少なくとも１本のアンテナを介して送信するように構成された送信機と、
を備えるアクセスポイント。
【請求項１８】
Ｍ個の直交列を有する行列を使用してデータのサブブロックを拡散することによって生成された拡散データストリームを受信することと、なお、前記拡散することは、前記拡散されたデータストリームを生成するために、データの各サブブロックをＭ回繰り返し、前記繰り返されたサブブロックのうちの１つに前記行列の各行を適用することを備える、
前記受信された拡散データストリームのサブブロックを結合することと、を備え、前記結合することは、Ｍ個の直交行を有する前記行列に基づいてＭセットの結合されたサブブロックを生成することである、
ワイヤレス通信のための方法。
【請求項１９】
第２のサイズの拡散サブブロックを生成するために複数の第１のサイズの結合された拡散サブブロックをデシメートすることと、なお、前記第２のサイズは、前記第１のサイズより小さい、
元の非拡散データの推定値を得るために前記第２のサイズの拡散サブブロックをイコライズすることと、
をさらに備える請求項１８に記載の方法。
【請求項２０】
イコライズすることは、時間領域データ推定値を得るために、周波数領域でフィルタにかけることと、フィルタにかけられた周波数領域データに逆高速フーリエ変換（ＩＦＦＴ）を適用することと、
を備える、請求項１９に記載の方法。
【請求項２１】
前記周波数領域でフィルタにかけることは、最小平均二乗誤差（ＭＭＳＥ）技法に基づいてフィルタにかけることを備える、
請求項２０に記載の方法。
【請求項２２】
行列は、アダマール行列である、
請求項１８に記載の方法。
【請求項２３】
前記アダマール行列は、２つの行および２つの列を有する、
請求項２２に記載の方法。
【請求項２４】
前記アダマール行列は、４つの行および４つの列を有する、
請求項２２に記載の方法。
【請求項２５】
Ｍ個の直交列を有する行列を使用してデータのサブブロックを拡散することによって生成された拡散データストリームを受信するように構成された受信機と、なお、前記拡散することは、前記拡散されたデータストリームを生成するために、データの各サブブロックをＭ回繰り返し、前記繰り返されたサブブロックのうちの１つに前記行列の各行を適用することを備える、
前記受信された拡散データストリームのサブブロックを結合するように構成された結合器と、を備え、前記結合することは、Ｍ個の直交行を有する前記行列に基づいてＭセットの結合されたサブブロックを生成することである、
ワイヤレス通信のための装置。
【請求項２６】
第２のサイズの拡散サブブロックを生成するために複数の第１のサイズの結合された拡散サブブロックをデシメートするように構成されたデシメータと、なお、前記第２のサイズは、前記第１のサイズより小さい、
元の非拡散データの推定値を得るために前記第２のサイズの拡散サブブロックをイコライズするように構成されたイコライザと、
をさらに備える請求項２５に記載の装置。
【請求項２７】
前記イコライザは、時間領域データ推定値を得るために、周波数領域でフィルタにかけるように構成されたフィルタと、フィルタにかけられた周波数領域データに逆高速フーリエ変換（ＩＦＦＴ）を適用するよう構成された回路と、
を備える、請求項２６に記載の装置。
【請求項２８】
前記周波数領域でフィルタにかけるよう構成された前記フィルタは、最小平均二乗誤差（ＭＭＳＥ）技法に基づいてフィルタにかけるよう構成された回路を備える、
請求項２７に記載の装置。
【請求項２９】
前記行列は、アダマール行列である、
請求項２５に記載の装置。
【請求項３０】
前記アダマール行列は、２つの行および２つの列を有する、
請求項２９に記載の装置。
【請求項３１】
前記アダマール行列は、４つの行および４つの列を有する、
請求項２９に記載の装置。
【請求項３２】
Ｍ個の直交列を有する行列を使用してデータのサブブロックを拡散することによって生成された拡散データストリームを受信するための手段と、なお、前記拡散することは、前記拡散されたデータストリームを生成するためにデータの各サブブロックをＭ回繰り返すことと、前記繰り返されたサブブロックのうちの１つに前記行列の各行を適用することとを備える、
前記受信された拡散データストリームのサブブロックを結合するための手段と、を備え、前記結合することは、Ｍ個の直交行を有する前記行列に基づいてＭセットの結合されたサブブロックを生成することである、
ワイヤレス通信のための装置。
【請求項３３】
第２のサイズの拡散サブブロックを生成するために複数の第１のサイズの結合された拡散サブブロックをデシメートするための手段と、なお、前記第２のサイズは、前記第１のサイズより小さい、
当初の非拡散データの推定値を得るために前記第２のサイズの拡散サブブロックをイコライズするための手段と、
をさらに備える請求項３２に記載の装置。
【請求項３４】
前記イコライズするための手段は、時間領域データ推定値を得るために周波数領域でフィルタにかけることと、フィルタにかけられた周波数領域データに逆高速フーリエ変換（ＩＦＦＴ）を適用することと、
を備える、請求項３３に記載の装置。
【請求項３５】
前記周波数領域でフィルタにかけることは、最小平均二乗誤差（ＭＭＳＥ）技法に基づいてフィルタにかけることを備える、
請求項３４に記載の装置。
【請求項３６】
前記マトリックスは、アダマール行列である、
請求項３２に記載の装置。
【請求項３７】
前記アダマール行列は、２つの行および２つの列を有する、
請求項３６に記載の装置。
【請求項３８】
前記アダマール行列は、４つの行および４つの列を有する、
請求項３６に記載の装置。
【請求項３９】
Ｍ個の直交列を有する行列を使用してデータのサブブロックを拡散することによって生成された拡散データストリームを受信するために実行可能な命令と、なお、前記拡散することは、前記拡散されたデータストリームを生成するためにデータの各サブブロックをＭ回繰り返すことと、前記繰り返されたサブブロックのうちの１つに前記行列の各行を適用することと、を備える、
前記受信された拡散データストリームのサブブロックを結合するために実行可能な命令と、で符号化されたコンピュータ可読媒体を備え、前記結合することは、Ｍ個の直交行を有する前記行列に基づいてＭセットの結合されたサブブロックを生成することである、
ワイヤレス通信のためのコンピュータプログラム製品。
【請求項４０】
少なくとも１本のアンテナと、
Ｍ個の直交列を有する行列を使用してデータのサブブロックを拡散することによって生成された拡散データストリームを前記少なくとも１本のアンテナを介して受信するように構成された受信機と、なお、前記拡散することは、前記拡散されたデータストリームを生成するためにデータの各サブブロックをＭ回繰り返すことと、前記繰り返されたサブブロックのうちの１つに前記行列の各行を適用することと、を備える、
前記受信された拡散データストリームのサブブロックを結合するように構成された結合器と、を備え、前記結合することは、Ｍ個の直交行を有する前記行列に基づいてＭセットの結合されたサブブロックを生成することである、
ワイヤレス通信のための装置。
【発明の詳細な説明】
【関連出願】
【０００１】
米国特許法第１１９条の下での優先権の主張  
本特許出願は、本願の譲受人に譲渡され、参照によって本明細書に明示的に組み込まれる、２００８年５月１１日に出願した米国仮出願第６１／０５２，２２１号の優先権を主張するものである。
【技術分野】
【０００２】
本開示の１つの態様は、一般にワイヤレス通信に関し、特に、送信信号の拡散のための方法に関する。
【背景技術】
【０００３】
スペクトラム拡散符号化は、特定の帯域幅で生成された信号がより広い帯域幅を有する信号となる、周波数領域に拡散されることができる技法である。拡散信号は、より小さい電力密度を有するが、非拡散信号と同じ合計電力を有する。拡張された送信帯域幅は、その小さい電力密度のために他の送信への干渉を最小限にする。受信機において、拡散信号は、復号されることができ、復号操作は、干渉およびマルチパスフェージングへの耐性を提供する。しかしながら、受信機での処理は、非常に高い待ち時間と共に計算的に複雑になり得る。
【０００４】
したがって、受信機での処理を容易にする送信機において適用されるスペクトラム拡散符号化の方法に対する技術的な要求がある。
【発明の概要】
【０００５】
ある態様は、ワイヤレス通信のための方法を提供する。方法は、概して、データストリームをデータのサブブロックに分割することと、Ｍ個の直交行を有する行列を使用して各サブブロックを拡散することと、なお、拡散することは、拡散データストリームを生成するために、各サブブロックをＭ回繰り返すことと、繰り返されたサブブロックのうちの１つに行列の各行を適用することと、を備える、拡散データストリームを送信することと、を含む。
【０００６】
ある態様は、ワイヤレス通信のための装置を提供する。装置は、概して、データストリームをデータのサブブロックに分割するように構成された回路と、Ｍ個の直交行を有する行列を使用して各サブブロックを拡散するように構成された拡散器と、なお、拡散器は、拡散データストリームを生成するために、各サブブロックをＭ回繰り返すように構成された回路と、繰り返されたサブブロックのうちの１つに行列の各行を適用するように構成された回路と、備える、拡散データストリームを送信するように構成された送信機と、を含む。
【０００７】
ある態様は、ワイヤレス通信のための装置を提供する。装置は、概して、データストリームをデータのサブブロックに分割するための手段と、Ｍ個の直交行を有する行列を使用して各サブブロックを拡散するための手段と、なお、拡散する手段は、各サブブロックをＭ回繰り返すための手段と、拡散データストリームを生成するために繰り返されたサブブロックのうちの１つに行列の各行を適用するための手段と、を備える、拡散データストリームを送信するための手段と、を含む。
【０００８】
ある態様は、ワイヤレス通信のためのコンピュータプログラム製品を提供する。コンピュータプログラム製品は、データストリームをデータのサブブロックに分割するために実行可能な命令と、Ｍ個の直交行を有する行列を使用して各サブブロックを拡散するために実行可能な命令と、なお、拡散するために実行可能な命令は、拡散データストリームを生成するために、各サブブロックをＭ回繰り返すために実行可能な命令と、繰り返されたサブブロックのうちの１つに行列の各行を適用するために実行可能な命令と、を備える、拡散データストリームを送信するために実行可能な命令と、で符号化されたコンピュータ可読媒体を含む。
【０００９】
ある態様は、アクセスポイントを提供する。アクセスポイントは、概して、少なくとも１本のアンテナと、データストリームをデータのサブブロックに分割するように構成された回路と、Ｍ個の直交行を有する行列を使用して各サブブロックを拡散ように構成された拡散器と、なお、拡散器は、拡散データストリームを生成するために、各サブブロックをＭ回繰り返すように構成された回路と、繰り返されたサブブロックのうちの１つに行列の各行を適用するように構成された回路と、を備える、拡散データストリームを少なくとも１本のアンテナを介して送信するように構成された送信機と、を含む。
【００１０】
ある態様は、ワイヤレス通信のための方法を提供する。方法は、概して、Ｍ個の直交行を有する行列を使用するデータのサブブロックを拡散することによって生成された拡散されたデータストリームを受信することと、なお、拡散することは、拡散データストリームを生成するために、データの各サブブロックをＭ回繰り返すことと、繰り返されたサブブロックのうちの１つに行列の各行を適用することと、を備える、受信した拡散されたデータストリームを結合することと、を含み、結合は、Ｍ個の直交行を有する行列に基づいてＭセットの結合されたサブブロックを生成する。
【００１１】
ある態様は、ワイヤレス通信のための装置を提供する。装置は、概して、Ｍ個の直交行を有する行列を使用するデータのサブブロックを拡散することによって生成された拡散データストリームを受信するように構成された受信機と、なお、拡散することは、拡散データストリームを生成するために、データの各サブブロックをＭ回繰り返すことと、繰り返されたサブブロックのうちの１つに行列の各行を適用することと、を備える、受信した拡散データストリームを結合するように構成された結合器と、を含み、結合は、Ｍ個の直交行を有する行列に基づいてＭセットの結合されたサブブロックを生成する。
【００１２】
ある態様はワイヤレス通信のための装置を提供する。装置は、概して、Ｍ個の直交行を有する行列を使用するデータのサブブロックを拡散することによって生成された拡散データストリームを受信するための手段と、なお、拡散することは、データの各サブブロックをＭ回繰り返すことと、拡散データストリームを生成するために繰り返されたサブブロックのうちの１つに行列の各行を適用することと、を備える、受信した拡散データストリームを結合するための手段と、を含み、結合は、Ｍ個の直交行を有する行列に基づいてＭセットの結合されたサブブロックを生成する。
【００１３】
ある態様は、ワイヤレス通信のためのコンピュータプログラム製品を提供する。コンピュータプログラム製品は、Ｍ個の直交行を有する行列を使用するデータのサブブロックを拡散することによって生成された拡散データストリームを受信するために実行可能な命令と、なお、拡散することは、データの各サブブロックをＭ回繰り返すことと、拡散データストリームを生成するために繰り返されたサブブロックのうちの１つに行列の各行を適用することと、を備える、受信した拡散データストリームを結合するために実行可能な命令と、で符号化されたコンピュータ可読媒体を含み、結合は、Ｍ個の直交行を有する行列に基づいてＭセットの結合されたサブブロックを生成する。
【００１４】
ある態様は、アクセス端末を提供する。アクセス端末は、概して、少なくとも１本のアンテナと、Ｍ個の直交行を有する行列を使用するデータのサブブロックを拡散することによって生成された拡散データストリームを少なくとも１本のアンテナを介して受信するように構成された受信機と、なお、拡散することは、データの各サブブロックをＭ回繰り返すことと、拡散データストリームを生成するために繰り返されたサブブロックのうちの１つに行列の各行を適用することと、を備える、受信した拡散データストリームを結合するように構成された結合器と、を含み、を含み、結合は、Ｍ個の直交行を備える行列に基づいてＭセットの結合されたサブブロックを生成する。
【００１５】
本開示の上述される特徴を詳細に理解できるようにするために、実施形態を参照することによって上記の概要のより具体的な説明を得ることができ、これらの実施形態の一部は、添付図に示される。しかしながら、添付図は、この開示の典型的な実施形態のみを例示するものであり、従って、適用範囲を制限するとはみなすべきでなく、記述は、その他の同様に有効な態様に対しても当てはめることができることに注意されるべきである。
【図面の簡単な説明】
【００１６】
【図１】本開示のある態様に従って、例示のワイヤレス通信システムを説明する。
【図２】本開示のある態様に従ってワイヤレスデバイスで利用され得る様々なコンポーネントを説明する。
【図３】本開示のある態様に従ってワイヤレス通信システム内で使用され得る例示の送信機を説明する。
【図４】本開示のある態様に従ってスペクトラム拡散符号化のための例示の操作を説明する。
【図４Ａ】図４に例証された操作を実行することができる例示のコンポーネントを説明する。
【図５Ａ】本開示のある態様に従う拡散データバーストフォーマットを説明する。
【図５Ｂ】本開示のある態様に従う拡散データバーストフォーマットを説明する。
【図５Ｃ】本開示のある態様に従う拡散データバーストフォーマットを説明する。
【図６】本開示のある態様に従ってワイヤレス通信システム内で使用され得る例示の受信機を説明する。
【図７】本開示のある態様に従って受信機で拡散信号を処理するための例示の操作を説明する。
【図７Ａ】図７に例証された操作を実行することができる例示のコンポーネントを説明する。
【発明を実施するための形態】
【００１７】
開示の様々な態様は、添付の図面を参照してより完全に以下に記述される。しかしながら、本開示は、多くの異なる形式で具体化され、この開示を通じて表わされる任意の特定の構造または機能に限定されるように解釈されるべきでない。もっと正確に言えば、これらの態様は、この開示が完璧および完全となることができ、当業者に対して開示の範囲を完全に伝えることができるように提供される。この教示に基づいて、当業者は、本開示の範囲が、本開示の任意の他の態様と独立してインプリメントされるまたは任意の他の態様と組み合わされるかにかかわらず、ここに開示された任意の態様の開示をカバーするように意図されることを認識すべきである。例えば、装置は、ここで説明する任意の数の態様を使用してインプリメントされ得る、あるいは、方法は、ここで説明する任意の数の態様を使用して実施され得る。さらに、開示の範囲は、他の構造、機能性、ここで説明する様々な態様の開示に追加またはそれ以外の構造および機能性を使用して実施される装置および方法のようなものをカバーするように意図される。ここに示された開示の任意の態様は、請求項の１つ以上のエレメントによって具体化され得ることが理解されるべきである。
【００１８】
用語「典型的」は、「例示、事例、または説明としての機能を果たすこと」を意味するようにここで使用される。「典型的」としてここに開示された任意の態様は、必ずしも他の態様他の態様を超えて好まれるあるいは有利であるとして解釈されるわけではない。
【００１９】
特定の態様は、ここに記述されるが、これらの態様の多くの変形および置換が本開示の範囲内に収まる。好ましい態様のいくつかの利益および利点が言及されるが、開示の範囲は、特定の利益、用途、目的に限定されるように意図されたものでない。もっと正確に言えば、開示の態様は、異なるワイヤレス技術、システム構成、ネットワーク、および送信プロトコルに広範囲に適用可能になるように意図され、そのいくつかは、図面および好ましい態様の以下の記述を例示する目的で説明される。詳細な説明および図面は、限定するよりむしろ開示の単なる説明であり、その開示の範囲は、添付の請求項およびそれに関する均等物によって定義される。  
例示のワイヤレス通信システム
【００２０】
ここに記述された技法は、単一のキャリア送信に基づく通信システムを含む、様々な広帯域ワイヤレス通信システムのために使用され得る。ここに開示された態様は、ミリ波信号を含むウルトラワイドバンド（ＵＷＢ）信号および符号分割多元接続（ＣＤＭＡ）信号を用いるシステムに有利であり得る。しかしながら、他の符号化された信号が同様の利点から利益を得てもよいので、本開示は、そのようなシステムに制限されるようには意図されない。
【００２１】
図１は、本開示の態様が用いられ得るワイヤレス通信システム１００の例示を説明する。ワイヤレス通信システム１００は、広帯域ワイヤレス通信システムであり得る。ワイヤレス通信システム１００は、多くのセル１０２のために通信を提供し得る。セル１０２の各々は、アクセスポイント１０４によってサービスを受ける。アクセスポイント１０４は、アクセス端末１０６と通信する固定局であり得る。図１は、システム１００の全体にわたって分散した様々なアクセス端末１０６を描写する。
【００２２】
アクセスポイント１０４は、一般にアクセス端末１０６と通信する固定局であり、基地局あるいはある他の専門用語とも称され得る。アクセス端末１０６は、固定式（つまり、静止している）あるいは移動式であり得る。アクセス端末１０６は、代替として、遠隔局、アクセス端末、端末、加入者ユニット、移動局、局、ユーザ装置、あるいはある他の専門用語で称される。アクセス端末１０６は、携帯電話、携帯情報端末（ＰＤＡ）、ハンドヘルドデバイス、ワイヤレスモデム、ラップトップコンピュータ、パソコン、あるいは他のあるワイヤレスデバイスのようなワイヤレスデバイスであり得る。アクセスポイント１０４は、ダウンリンクおよびアップリンク上の任意の所定の瞬間で１つ以上のアクセス端末１０６と通信し得る。ダウンリンク（つまり順方向リンク）は、アクセスポイント１０４からアクセス端末１０６への通信リンクであり、アップリンク（つまり逆方向リンク）は、アクセス端末１０６からアクセスポイント１０４への通信リンクである。アクセス端末１０６は、さらに、別のアクセス端末１０６とピアツーピアの通信をし得る。
【００２３】
様々なアルゴリズムおよび方法は、アクセスポイント１０４とアクセス端末１０６との間のワイヤレス通信システム１００で送信のために使用され得る。例えば、信号は、ＣＤＭＡ技法に従ってアクセスポイント１０４とアクセス端末１０６との間で送受信され得る。この場合には、ワイヤレス通信システム１００は、ＣＤＭＡシステムと称され得る。
【００２４】
アクセスポイント１０４からアクセス端末１０６への送信を容易にする通信リンクは、ダウンリンク（ＤＬ）１０８と称され、アクセス端末１０６からアクセスポイント１０４への送信を容易にする通信リンクは、アップリンク（ＵＬ）１１０と称され得る。代替として、ダウンリンク１０８は、順方向リンクまたは順方向チャネルと称され、アップリンク１１０は、逆方向リンクあるいは逆チャネルと称され得る。
【００２５】
セル１０２は、複数のセクタ１１２に分割され得る。セクタ１１２は、セル１０２内の物理的なサービスエリアである。ワイヤレス通信システム１００内のアクセスポイント１０４は、セル１０２の特定のセクタ１１２内の電力フローを集中させるアンテナを利用してもよい。そのようなアンテナは、指向性アンテナと称され得る。
【００２６】
図２は、ワイヤレス通信システム１００内で用いられるワイヤレスデバイス２０２に利用され得る様々なコンポーネントを説明する。ワイヤレスデバイス２０２は、ここに記述された様々な方法をインプリメントするように構成され得るデバイスの例である。ワイヤレスデバイス２０２は、アクセスポイント１０４あるいはアクセス端末１０６であり得る。
【００２７】
ワイヤレスデバイス２０２は、ワイヤレスデバイス２０２の操作を制御するプロセッサ２０４を含み得る。プロセッサ２０４は、さらに中央処理装置（ＣＰＵ）と称され得る。リードオンリメモリ（ＲＯＭ）およびランダムアクセスメモリ（ＲＡＭ）の両方を含み得る、メモリ２０６は、プロセッサ２０４に命令およびデータを提供する。メモリ２０６の一部は、さらに不揮発性ランダムアクセスメモリ（ＮＶＲＡＭ）を含み得る。プロセッサ２０４は、典型的にメモリ２０６内に格納されたプログラム命令に基づいた論理的演算および算術演算を実行する。メモリ２０６内の命令は、ここで記述された方法をインプリメントするために実行可能であり得る。
【００２８】
ワイヤレスデバイス２０２は、さらにワイヤレスデバイス２０２と遠く離れた位置との間のデータの送信および受信を許容するために送信機２１０および受信機２１２を含むハウジング２０８を含み得る。送信機２１０および受信機２１２は、トランシーバ２１４に組み合わされ得る。アンテナ２１６は、ハウジング２０８に付属し、トランシーバと電気的に結合し得る。ワイヤレスデバイス２０２は、（示されないが）さらに多数の送信機、多数の受信機、多数のトランシーバ、および／または多数のアンテナを含み得る。
【００２９】
ワイヤレスデバイス２０２は、さらにトランシーバ２１４によって受信した信号のレベルを検出し、定量化する検知する行動で使用され得る。信号検出器２１８は、合計エネルギー、１シンボルあたり１サブキャリアあたりのエネルギー、電力スペクトル密度としての信号および他の信号を検出し得る。ワイヤレスデバイス２０２は、さらに信号処理で使用されるデジタルシグナルプロセッサ（ＤＳＰ）２２０を含み得る。
【００３０】
ワイヤレスデバイス２０２の様々なコンポーネントは、データバスに加えてパワーバス、制御信号バス、ステータス信号バスを含む、バスシステム２２２によって共に結合され得る。  
送信信号の拡散
【００３１】
図３は、ＣＤＭＡあるいは他のある送信技法を利用するワイヤレス通信システム１００内で使用され得る送信機３０２の例示を説明する。送信機３０２の一部分は、ワイヤレスデバイス２０２の送信機２１０にインプリメントされ得る。送信機３０２は、ダウンリンク１０８でアクセス端末１０６へデータ３０４を送信するためのアクセスポイント１０４にインプリメントされ得る。送信機３０２は、さらにアップリンク１１０でアクセスポイント１０４へデータ３０４を送信するためのアクセス端末１０６にインプリメントされ得る。
【００３２】
送信されたデータ３０４は、マッパ３０６への入力として供給されることを示している。マッパ３０６は、コンスタレーションポイント上にデータストリーム３０４をマップする。マッピングは、２位相変調（ＢＰＳＫ）、４位相変調（ＱＰＳＫ）、８位相変調（８ＰＳＫ）、直交振幅変調（ＱＡＭ）、などのような、ある変調コンスタレーションを使用して行なわれ得る。このようにして、マッパ３０６は、バースト拡散器に入力することを示すシンボルストリーム３０８を出力する。バースト拡散器３１０の別の入力は、直交符号生成器３１２によって作り出された複数の直交拡散符号３１４で構成され得る。
【００３３】
バースト拡散器３１０は、直交符号生成器３１２から複数の直交拡散符号のうちの１つで各データバースト３０８を拡散するために構成され得る。ガードインターバルあるいはサイクリックプリフィックス（ＣＰ）は、ガード挿入ユニット（あるいはＣＰ付加器）３１８によって各拡散されたデータバースト３１６の先頭に付加され得る。その後、ガード挿入ユニットの出力３２０は、無線周波数（ＲＦ）フロントエンド３２２によって所望の送信周波数帯にアップコンバートされ得る。その後、アンテナ３２４は、その結果生じる信号３２６を送信し得る。
【００３４】
本開示の１つの態様において、拡散符号生成器３１２は、以下の行列によって表されることができる１ペアの長さ２のアダマール符号を生成するように構成され得る：
【数１】
2011520403.tif 000003
【００３５】
拡散符号生成器３１２は、長さＮを有する第１の拡散符号
【数２】
2011520403.tif 000004
【００３６】
を生成するために式（１）からの行列Ｈの第１行を定義された回数繰り返し得る。同様に、拡散符号生成器３１２は、さらに長さＮを有する第２の行列拡散符号
【数３】
2011520403.tif 000005
【００３７】
を生成するために行列Ｈの第２行を同じく定義された回数繰り返し得る。
【００３８】
この特定の態様について、第１および第２の拡散符号は、以下のように表わされ得る：
【数４】
2011520403.tif 000006
【００３９】
したがって、入力データストリーム３０８がＮ個の変調シンボルｄ０：Ｎ−１＝［ｄ０，ｄ１，ｄ２，ｄ３， ．．． ｄＮ−１］によって与えられる場合、第１の拡散データシーケンス３１６は、［ｄ０，ｄ１，ｄ２，ｄ３， ．．． ｄＮ−１］と表わされ、連続した第２の拡散符号データシーケンス３１６は、［ｄ０，−ｄ１，ｄ２，−ｄ３， ．．． −ｄＮ−１］と表わされる。
【００４０】
本開示の他の態様において代替の多元アクセス符号が送信信号の拡散のために用いられ得ることが認識されるべきである。更に、符号化パラメータの変化は、開示の範囲から外れることなく提供され得る。例えば、符号は、任意の組み合わせで繰り返され、連結され、および／または切り捨てられ得る。
【００４１】
本開示のある態様について、バースト拡散器３１０は、各々長さＮの拡散符号
【数５】
2011520403.tif 000007
【００４２】
と長さＮのデータバーストd0:N-1のエレメントとエレメントの乗算を実行し得る。例えば、データバーストd0:N-1は、第１の拡散データバーストを作り出すために第１の拡散符号
【数６】
2011520403.tif 000008
【００４３】
によって拡散され得る。データバーストd0:N-1のレプリカは、第２の拡散データバーストを作り出すために第２の拡散符号
【数７】
2011520403.tif 000009
【００４４】
によって拡散され得る。
【００４５】
サイクリックプリフィックス付加器（あるいはガード挿入ユニット）３１８は、各拡散データバースト３１６の先頭にサイクリックプリフィックスあるいはガードインターバルを付加し得る。サイクリックプリフィックスは、拡散データバーストの最後のＬチップのコピーを備え得る。本開示のある態様について、さらにサイクリックプリフィックスは、所定の長さのゴーレイシーケンスの相補的なペアで表わされるゴーレイシーケンスａあるいはゴーレイシーケンスｂであり得る。例えば、長さ６４サンプルのゴーレイシーケンスについて以下の相補的なペアが利用され得る：  
ａ＝８８２２ＢＢ１１７８２Ｄ４ＢＩＥ          （３）  
ｂ＝７７ＤＤＢＢ１１８７Ｄ２４ＢＩＥ          （４）  
ここで式（３）−（４）からのシーケンスは、１６進法で表わされ、最も重要性の低いバイトは、左に、最も重要性の高いバイトは、右にある。付加されたゴーレイ符号は、さらに他のシーケンスａおよびｂを代替しあるいは他のシーケンスａおよびｂに変更し得る。
【００４６】
図４は、ワイヤレス通信システムの送信側に適用されるスペクトラム拡散符号化を要約する例示の操作４００を例証する。４１０において、元の送信データストリームが取得され得る。その後、４２０において、データストリームは、サブブロックに分割され得る。４３０において、各サブブロックは、拡散データストリームを生成するためにＭ個の直交行（例えば、アダマール行列）を有する多元接続符号化行列を用いて拡散し得る。行列の各行（あるいは列）は、各々が長さＮを有する複数の拡散符号を生成するために定義された回数繰り返され得る。本開示のある態様について、Ｍ×Ｍの多元接続符号化行列が作り出され、Ｍ個の拡散符号までが生成される。
【００４７】
４３０において、拡散することは、Ｍ個の拡散符号の各々とＭ回繰り返されたサイズＮの同じデータバースト（つまり、同じデータサブブロック）のエレメントとエレメントの乗算（あるいは代替として、エレメントとエレメントのＸＯＲ演算）を実行することによってある態様のためにインプリメントされ得る。ここで元のサイズＭの各拡散符号は、Ｎ／Ｍ回繰り返される。４４０において、拡散した後に、各拡散サブブロックにサイクリックプリフィックス（例えば、各拡散サブブロックに最後のＬチップのコピー、既知のゴーレイシーケンスまたはガードインターバル）を付加することが続く。４５０において、複数の拡散サブブロックからなる拡散データストリームが送信され得る。
【００４８】
図５Ａは、本開示の１つの態様に従う例示のデータバーストフォーマットを説明する。各バーストは、総数Ｎ＋Ｌシンボルを備える。ここで、Ｌは、ガードインターバルあるいはサイクリックプリフィックス５１０のような既知のシーケンスc0:L-1のシンボルの数であり、Ｎは、拡散データシーケンス５１２のシンボルの数である。拡散データシーケンス５１２は、複数の長さＮの拡散符号
【数８】
2011520403.tif 000010
【００４９】
のうちの１つと長さＮのデータバーストd0:N-1とのエレメントとエレメントの乗算を備え得る。
【００５０】
図５Ｂは、開示の１つの態様に従う２つのデータバーストのシーケンスを備える例示のデータフレームを説明する。第１の拡散データシーケンス５２２は、第１の拡散符号
【数９】
2011520403.tif 000011
【００５１】
と長さＮのデータバーストd0：Ｎ−１とのエレメントとエレメントの乗算を備え、第２の拡散データシーケンス５２６は、第２の拡散符号
【数１０】
2011520403.tif 000012
【００５２】
と同じデータバーストd0：Ｎ−１とのエレメントとエレメントの乗算を備え得る。本開示の１つの態様において、第１および第２の拡散符号は、サイズ２×２のアダマール行列の行（あるいは列）を定義された回数繰り返すことによって生成され得る。第１の拡散データシーケンス５２２は、サイクリックプリフィックスと共に供給され、第２の拡散データシーケンス５２６は、サイクリックプリフィックス５２４とともに供給され得る。
【００５３】
図５Ｃは、４×４のアダマール拡散行列に対応する４つの拡散データシーケンス５３２、５３６、５４０、５４４を備えるデータフレームを説明する。本開示のこの態様について、拡散符号は、以下のように与えられ得る：
【数１１】
2011520403.tif 000013
【００５４】
ここで、各拡散符号の最初の４チップは、サイズ４×４のアダマール拡散行列の特定の行に一致し得る。
【００５５】
本開示の多種多様の態様があるように、説明の特定の態様に使用された数学的な表現は、代替の態様がどのように提供されるかを示すために生成され得る。例えば、開示の１つの態様は、サイズ２Ｍ×２Ｍのアダマール行列から導出される２Ｍ個のシーケンスまで用い得る。ここで各シーケンスは、周期Ｍで周期的であり得る。具体的には、m番目の（m = 0, 1, … , 2M-1）シーケンスは、周期Ｍで周期的であり、周期内のエレメントは、２Ｍ×２Ｍアダマール行列のm番目の行のエレメントでもあり得る。  
受信機におけるイコライゼーション
【００５６】
図６は、ＣＤＭＡあるいは他の送信技法を利用するワイヤレスデバイス２０２内で使用され得る受信機６０２の例示を説明する。受信機６０２の一部分は、ワイヤレスデバイス２０２の受信機２１２にインプリメントされ得る。受信機６０２は、ダウンリンク１０８でアクセスポイント１０４からデータ６０４を受信するためのアクセス端末１０６にインプリメントされ得る。受信機６０２は、さらにアップリンク１１０でアクセス端末１０６からデータ６０４を受信するためのアクセスポイント１０４にインプリメントされ得る。
【００５７】
信号６０４がアンテナ６０６によって受信される場合、信号は、ＲＦフロントエンド６０８によってベースバンド信号６１０にダウンコンバートされ得る。その後、ガード除去コンポーネント６１２は、図３で説明されたガード挿入コンポーネント３１８によって各拡散データバースト間に挿入されたガードインターバルを除去し得る。ガード除去コンポーネントの出力信号６１４は、結合器ユニット（つまり、合計ユニットおよび差分ユニット）に供給される。結合器ユニットは、ワイヤレス通信チャネルを通じて伝播された後の拡散データシーケンスによって特徴付けられた受信ベースバンド信号を操作するように構成され得る。
【００５８】
データが、式（１）によって与えられた２×２のアダマール行列から生成された１ペアの長さ１２の拡散符号を使用して拡散され、５つのマルチパスチャネルを通じて送信され得る本開示の１つの態様について、受信機における第１の拡散データシーケンスｘは、以下のように表され得る：
【数１２】
2011520403.tif 000014
【００５９】
また、受信機における第２の拡散データシーケンスｙは、以下のように表され得る：
【数１３】
2011520403.tif 000015
【００６０】
本開示の１つの態様について、結合器モジュール６１６は、合計ベクトルｕおよび差分ベクトルｖ、つまり、図６に例証されるストリーム６１８、を作り出すために受信信号ベクトルｘおよびｙを結合し得る。合計ベクトルｕおよび差分ベクトルｖは、以下のように表され得る：
【数１４】
2011520403.tif 000016
【数１５】
2011520403.tif 000017
【００６１】
および
【数１６】
2011520403.tif 000018
【数１７】
2011520403.tif 000019
【００６２】
デシメータ（decimator）６２０は、
【数１８】
2011520403.tif 000020
【００６３】
によって与えられるデシメートされた信号の第１のセット６２２、および
【数１９】
2011520403.tif 000021
【００６４】
によって与えられるデシメートされた信号の第２のセット６２２を作り出すために合計ベクトルｕおよび差分ベクトルｖをデシメート（decimating）するように構成され得る。
【００６５】
イコライザ６２４は、デシメートされた信号を復号すために周波数領域および時間領域の任意の組み合わせを用い得る。式（１０）−（１３）からデシメートされた行列の各々がサイクリックであるので、計算的により複雑でない周波数領域イコライゼーションが計算的により複雑な時間領域イコライゼーションの代わりに用いられ得る。さらに、式（１０）−（１１）で与えられたデシメートされた信号の第１のセットは、チャネルパス利得ｈ０、ｈ２、およびｈ４のみを備えるのに対して、式（１２）−（１３）によって与えられるデシメートされた第２のセットはチャネルパス利得ｈ１およびｈ３のみを備えることに注目されることができる。したがって、本開示のある態様は、実効チャネルの複雑性を低減するようないくつかの利点および利益を提供するために用いられ得る。デシメートされた信号の第１のセットと第２のセットとの間のチャネル間の違いは、さらにダイバーシティの利点のために使用され得る。さらにこれらの利益および利点および代替の態様が実現され得る。
【００６６】
デマッパ６２８は、イコライズされたデータストリーム６２６を入力し、図３で説明されたマッパ３０６によって実行されたシンボルマッピング操作の逆を実行する結果、データストリーム６３０を出力する。理想的には、このデータストリーム６３０は、図３に説明されるように、送信機３０２に入力として供給されたデータ３０４に対応する。
【００６７】
図７は、受信した拡散信号を処理するために実行される例示の操作７００を説明する。受信方法は、信号がマルチパス信号を通じて伝播された後の（図３で説明されたもののような）送信側の信号プロセッサによって送信された処理信号を供給する。受信機フロントエンド処理は、デジタルベースバンド信号を生成するために受信信号をダウンコンバートし、デジタル化するために供給される。
【００６８】
７１０において、拡散サブブロックからなるベースバンド拡散データストリームが得られ得る。７２０において、複数の拡散サブブロックは、結合サブブロックのＭ個のセットを生成するためにＭ個の直交行を有する拡散行列に基づいて結合され得る。７３０において、結合サブブロックのＭ個のセットは、より小さなサイズの２Ｍ個のデシメートされたサブブロックを得るためにデシメートされ得る。
【００６９】
２×２アダマール行列が拡散データシーケンスを生成するために用いられる式（１）によって与えられる場合の開示のある態様について、結合すること７２０は、合計シーケンスおよび差分シーケンスを生成することを備え得る。その後、結合信号の各々（つまり合計信号と差分信号）は、７３０において、２つのデシメーションファクタ（decimation factor）を使用してデシメートされ得る。したがって、デシメーションは、長さＮ／２の４つのデシメーションシーケンスを作り出し得る。
【００７０】
４×４アダマール行列が（図５で説明されるシーケンスのような）拡散データシーケンスを生成するために使用される場合の本開示のある態様について、結合すること７２０は、結合されたシーケンスの４つのセットを作り出すことを備え得る。４つのセットの各々は、アダマール行列の対応する行に従って受信された拡散データシーケンスの第１の選択サイン（sign）によって生成され、その後シーケンスを合計する。例えば、図５Ｃを参照して、４つの結合信号ベクトルは、以下のように与えられ得る：
【数２０】
2011520403.tif 000022
【００７１】
従って、デシメーション７３０は、結合信号ベクトルｖ０，ｖ１，ｖ２およびｖ３の各々から長さＮ／４の４つのデシメートされたシーケンスを作り出し得る。
【００７２】
７４０において、より小さなサイズの２Ｍ個のデシメートされたサブブロックの各々は、元のデータの推定値を得るためにイコライズされ得る。デシメーションシーケンスの有効チャネル行列がサイクリックであるので、開示の態様は、計算的な複雑性を低減するとともに周波数領域イコライゼーションのために提供され得る。
【００７３】
長さ１２の拡散符号のペアおよび５つのパスを有するマルチパスチャネルの場合の例示のために、式（８）からのベクトルｕから導出され、周波数領域に変換された偶数ベクトルおよび奇数ベクトルは、以下のように表わされ得る：
【数２１】
2011520403.tif 000023
【００７４】
開示のある態様について、最小平均二乗誤差（ＭＭＳＥ）イコライザは、その後以下のように表わされ得る：
【数２２】
2011520403.tif 000024
【００７５】
イコライズされたサンプルで適用される逆高速フーリエ変換（ＩＦＦＴ）は、その後、偶数シンボルデータa0, a2, … , aN-2の推定値を作り出すために実行され得る。
【００７６】
同様に、式（９）によって与えられるベクトルｖから導出される偶数および奇数ベクトルは、奇数データシンボルa1, a3, … , aN-1の推定値を作り出すために利用され得る。本開示の他の態様は、代替のイコライゼーション技法を用い得る。
【００７７】
開示の態様は、ネットワークリソースの要求、ネットワークにアクセスするユーザの数の変化、個々のユーザアクセス要求、信号伝播特性（例えば、マルチパス、ドップラー、パスロス、等）の変化、および／または干渉（例えば、シンボル間干渉、マルチアクセス干渉、ジャミング、等）の変化に応えるために、符号セットを生成し、符号セットをアップデートし、および／またはユーザ符号を再び割り当てるために構成され得る。開示の態様は、柔軟な符号長を提供し、多数のレベルのサービス品質をサポートし、及び／またはシステムオーバロードを考慮し得る。開示の態様は、リアルタイムアプリケーション、迅速なアップデート、低電力消費、および／または低コスト処理コンポーネントのために適合することを可能にするような、処理の複雑性を最小限にするために最適化され得る。開示の特定の態様は、以前に列挙された特徴および利点、および／または代替の特徴および利点を供給するように構成され得る。
【００７８】
上述される方法の様々な操作は、対応する機能を実行することができる任意の適切な手段によって実行され得る。手段は、様々なハードウェアおよび／またはソフトウェアコンポーネントおよび／またはモジュールを含むが、回路、特定用途向け集積回路（ＡＳＩＣ）、あるいはプロセッサに限定されるものではない。一般に、図に例証された操作がある場合、これらの操作は、同様の数字を有する対応する同等の手段および機能（means-plus-function）コンポーネントを有し得る。例えば、図４および図７に例証されたブロック４１０−４５０および７１０−７４０は、図４Ａおよび図７Ａに例証された回路ブロック４１０Ａ−４５０Ａおよび７１０Ａ−７４０Ａに対応する。
【００７９】
ここにおいて用いられる用語“決定すること”は、非常に様々な動作を包含する。例えば、“決定すること”は、計算することと、演算することと、処理することと、導出することと、調査することと、検索すること（例えば、テーブル、データベース又は他のデータ構造において検索すること）と、確認することと、等を含み得る。さらに、“決定すること”は、受信すること（例えば、情報を受信すること）と、アクセスすること（例えば、メモリ内のデータにアクセスする）と、等を含み得る。さらに、“決定すること”ことは、解決することと、選抜することと、選択することと、確立することと、等を含み得る。
【００８０】
上述された方法の様々な操作は、様々なハードウェアおよび／またはソフトウェアコンポーネント、回路、および／またはモジュールのような操作を実効することができる適切な手段によって実行され得る。一般に、図の中で例証された任意の操作は、操作を実行することができる対応する機能的な手段によって実行され得る。
【００８１】
本開示と関係して説明される様々な例示的な論理ブロック、モジュール及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ信号（ＦＰＧＡ）、その他のプログラミング可能な論理デバイス（ＰＬＤ）、ディスクリートゲートロジック、ディスクリートトランジスタロジック、個別のハードウェアコンポーネント、又はそのあらゆる組み合わせ、とともにインプリメントされる又は実行され得る。汎用プロセッサはマイクロプロセッサであることができるが、代替においては、市販のどのようなプロセッサ、コントローラ、マイクロコントローラ、又はステートマシンであってもよい。さらに、プロセッサは、計算デバイスの組み合わせ、例えば、ＤＳＰと、１つのマイクロプロセッサとの組み合わせ、複数のマイクロプロセッサとの組み合わせ、ＤＳＰコアと関連する１つ以上のマイクロプロセッサとの組み合わせ、又はその他のあらゆる該構成との組み合わせ、としてインプリメントすることもできる。
【００８２】
本開示と関係させて説明される方法又はアルゴリズムのステップは、ハードウェア内で直接具現化させること、プロセッサによって実行されるソフトウェアモジュール内において具現化させること、またはこれらの２つの組み合わせにおいて具現化させることができる。ソフトウェアモジュールは、当業者において既知である任意の記憶媒体に常駐し得る。使用することができる記憶媒体の幾つかの例は、ランダムアクセスメモリ（ＲＡＭ）と、読み取り専用（ＲＯＭ）メモリと、フラッシュメモリと、ＥＰＲＯＭメモリと、ＥＥＰＲＯＭメモリと、レジスタと、ハードディスクと、取り外し可能なディスクと、ＣＤ−ＲＯＭと、等を含む。ソフトウェアモジュールは、単一の命令、又は数多くの命令を備えることができ、及び幾つかの異なる符号セグメントにわたって、異なるプログラム間で、及び複数の記憶媒体にわたって分散させることができる。記憶媒体は、プロセッサに結合し、該プロセッサが記憶媒体から情報を読み出すようにすること及び記憶媒体に情報を書き込むようにすることができる。代替においては、記憶媒体は、プロセッサと一体化させることができる。
【００８３】
ここにおいて開示される方法は、説明される方法を達成するための１つ以上のステップ又は動作を備える。方法のステップ及び／又は動作は、請求項の適用範囲を逸脱することなしに互換することができる。換言すると、ステップ又は動作の特定の順序が指定されないかぎり、特定のステップ及び／又は動作の順序及び／又は使用は、請求項の適用範囲を逸脱することなしに変更することができる。
【００８４】
説明される機能は、ハードウェア、ソフトウェア、ファームウェア、又はその組み合わせにおいてインプリメントすることができる。ソフトウェアにおいてインプリメントされる場合は、これらの機能は、１つ以上の命令としてコンピュータ可読媒体に格納することができる。記憶媒体は、コンピュータによって又は１つ以上の処理デバイスによってアクセス可能なあらゆる利用可能な媒体であることができる。一例として、及び制限することなしに、該コンピュータ可読媒体は、ＲＡＭ、ＲＯＭ、ＥＥＰＲＯＭ、ＣＤ−ＲＯＭ又はその他の光学ディスクストレージ、磁気ディスクストレージ又はその他の磁気記憶デバイス、又はコンピュータによってアクセス可能な命令又はデータ構造の形態で所望されるプログラムコードを搬送又は格納するために用いることができるその他の媒体、を備えることができる。ここにおいて用いられるときのディスク（ｄｉｓｋ及びｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタル多用途ディスク（ＤＶＤ）（ｄｉｓｃ）と、フロッピー（登録商標）ディスク（ｄｉｓｋ）と、Ｂｌｕ−ｒａｙ（登録商標）ディスク（ｄｉｓｃ）と、を含み、ここで、ｄｉｓｋは通常は磁気的にデータを複製し、ｄｉｓｃは通常はレーザを用いて光学的にデータを複製する。
【００８５】
したがって、ある態様は、ここに示された操作を実行するためにコンピュータプログラム製品を備え得る。例えば、そのようなコンピュータプログラム製品は、その上に命令を有するコンピュータ可読媒体を備え、その命令は、ここで説明された操作を実行するために１つ以上のプロセッサによって実行可能である。ある態様について、コンピュータプログラム製品は、パッケージングマテリアルを含み得る。
【００８６】
ソフトウェア又は命令は、送信媒体を通じて送信することもできる。例えば、ソフトウェアが、同軸ケーブル、光ファイバーケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバーケーブル、より対線、ＤＳＬ、又は無線技術、例えば赤外線、無線、及びマイクロ波、は、送信媒体の定義の中に含まれる。
【００８７】
さらに、ここにおいて説明される方法及び技法を実行するためのモジュールおよび／またはその他の適切な手段は、適用可能なアクセス端末および／またはアクセスポイントによってダウンロードされるおよび／または他で入手することができることを評価すべきである。例えば、このようなデバイスは、ここにおいて説明される方法を実行するための手段の転送を容易にするためにサーバに結合されることができる。代替として、ここにおいて説明される様々な方法は、記憶手段（例えば、ＲＡＭ、ＲＯＭ、物理的記憶媒体、例えばコンパクトディスク（ＣＤ）又はフロッピーディスク、等）を介して提供することができ、このため、ユーザ端末及び／又は基地局は、結合した時点で又は記憶媒体をデバイスに提供した時点で様々な方法を入手することができる。さらに、ここにおいて説明される方法及び技法をデバイスに提供するためのその他の適切な技法を利用することができる。
【００８８】
請求項は、上述される正確な構成及びコンポーネントに制限されないことが理解されるべきである。上述される方法及び装置の配置、動作及び詳細は、請求項の範囲を逸脱することなしに様々な修正、変更及び変形を行うことができる。
【００８９】
ここに提供される技法は、様々なアプリケーションで利用され得る。ある態様について、ここに示された技法は、ここに提供される技法を実行するためにアクセスポイント、アクセス端末、携帯情報端末（ＰＤＡ）、あるいは論理およびエレメントを処理する他のタイプのワイヤレスデバイスでインプリメントされ得る。
【図１】
2011520403.tif 000025
【図２】
2011520403.tif 000026
【図３】
2011520403.tif 000027
【図４】
2011520403.tif 000028
【図４Ａ】
2011520403.tif 000029
【図５Ａ】
2011520403.tif 000030
【図５Ｂ】
2011520403.tif 000031
【図５Ｃ】
2011520403.tif 000032
【図６】
2011520403.tif 000033
【図７】
2011520403.tif 000034
【図７Ａ】
2011520403.tif 000035
【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
データストリームをデータのサブブロックに分割することと、
Ｍ個の直交行を有する行列を使用して各サブブロックを拡散することと、なお、前記拡散することは、拡散データストリームを生成するために、Ｍ回各サブブロックを繰り返すことと、前記繰り返されたサブブロックのうちの１つに前記行列の各行を適用することと、を備える、
前記拡散データストリームを送信するここと、
を備え、前記行列は、アダマール行列である、
ワイヤレス通信のための方法。
【請求項２】
前記繰り返されたサブブロックのうちの１つに前記行列の各行を適用することは、前記サブブロックのエレメントとＮ／Ｍ回繰り返された前記行列の前記行を有するエレメントを乗算することを備え、Ｎは、前記サブブロックの長さである、
請求項１に記載の方法。
【請求項３】
前記アダマール行列は、２つの行および２つの列を有する、
請求項１に記載の方法。
【請求項４】
前記アダマール行列は、４つの行および４つの列を有する、
請求項１に記載の方法。
【請求項５】
データストリームをデータのサブブロックに分割するように構成された回路と、
Ｍ個の直交行を有する行列を使用して各サブブロックを拡散するように構成された拡散器と、なお、前記拡散器は、拡散データストリームを生成するために、Ｍ回各サブブロックを繰り返すように構成された回路と、前記繰り返されたサブブロックのうちの１つに前記行列の各行を適用するように構成された回路と、を備える、
前記拡散データストリームを送信するように構成された送信機と、
を備え、前記行列は、アダマール行列である、
ワイヤレス通信のための装置。
【請求項６】
前記繰り返されたサブブロックのうちの１つに前記行列の各行を適用するように構成された前記回路は、前記サブブロックのエレメントとＮ／Ｍ回繰り返された前記行列の前記行を有するエレメントを乗算することを備え、Ｎは、前記サブブロックの長さである、
請求項５に記載の装置。
【請求項７】
前記アダマール行列は、２つの行および２つの列を有する、
請求項５に記載の装置。
【請求項８】
前記アダマール行列は、４つの行および４つの列を有する、
請求項５に記載の装置。
【請求項９】
データストリームをデータのサブブロックに分割するための手段と、
Ｍ個の直交行を有する行列を使用して各サブブロックを拡散するための手段と、なお、前記拡散するための手段は、拡散データストリームを生成するために、Ｍ回各サブブロックを繰り返すための手段と、前記繰り返されたサブブロックのうちの１つに前記行列の各行を適用するための手段とを備える、
前記拡散データストリームを送信するための手段と、
を備え、前記行列は、アダマール行列である、
ワイヤレス通信のための装置。
【請求項１０】
前記繰り返されたサブブロックのうちの１つに前記行列の各行を適用する手段は、前記サブブロックのエレメントとＮ／Ｍ回繰り返された前記行列の前記行を有するエレメントを乗算することを備え、Ｎは、前記サブブロックの長さである、
請求項９に記載の装置。
【請求項１１】
前記アダマール行列は、２つの行および２つの列を有する、
請求項９に記載の方法。
【請求項１２】
前記アダマール行列は、４つの行および４つの列を有する、
請求項９に記載の装置。
【請求項１３】
データストリームをデータのサブブロックに分割するために実行可能な命令と、
Ｍ個の直交行を備える行列を使用して各サブブロックを拡散するために実行可能な命令と、なお、前記拡散するために実行可能な命令は、拡散データストリームを生成するために、Ｍ回各サブブロックを繰り返すために実行可能な命令と、前記繰り返されたサブブロックのうちの１つに前記行列の各行を適用するために実行可能な命令と、を備える、
前記拡散データストリームを送信するために実行可能な命令と、
で符号化されたコンピュータ可読媒体を備え、前記行列は、アダマール行列である、
ワイヤレス通信のためのコンピュータプログラム製品。
【請求項１４】
少なくとも１本のアンテナと、
データストリームをデータのサブブロックに分割するように構成された回路と；
Ｍ個の直交行を備える行列を使用して各サブブロックを拡散するように構成された拡散器と、なお、前記拡散器は、拡散データストリームを生成するために、Ｍ回各サブブロックを繰り返すように構成された回路と、前記繰り返されたサブブロックのうちの１つに前記行列の各行を適用するように構成された回路とを備える、
前記拡散されたデータストリームを前記少なくとも１本のアンテナを介して送信するように構成された送信機と、
を備え、前記行列は、アダマール行列である、
アクセスポイント。
【請求項１５】
Ｍ個の直交列を有する行列を使用してデータのサブブロックを拡散することによって生成された拡散データストリームを受信することと、なお、前記拡散することは、前記拡散されたデータストリームを生成するために、データの各サブブロックをＭ回繰り返し、前記繰り返されたサブブロックのうちの１つに前記行列の各行を適用することを備える、
前記受信された拡散データストリームのサブブロックを結合することと、を備え、前記結合することは、Ｍ個の直交行を有する前記行列に基づいてＭセットの結合されたサブブロックを生成することであり、
前記行列は、アダマール行列である、
ワイヤレス通信のための方法。
【請求項１６】
第２のサイズの拡散サブブロックを生成するために複数の第１のサイズの結合された拡散サブブロックをデシメートすることと、なお、前記第２のサイズは、前記第１のサイズより小さい、
元の非拡散データの推定値を得るために前記第２のサイズの拡散サブブロックをイコライズすることと、
をさらに備える請求項１５に記載の方法。
【請求項１７】
イコライズすることは、時間領域データ推定値を得るために、周波数領域でフィルタにかけることと、フィルタにかけられた周波数領域データに逆高速フーリエ変換（ＩＦＦＴ）を適用することと、
を備える、請求項１６に記載の方法。
【請求項１８】
前記周波数領域でフィルタにかけることは、最小平均二乗誤差（ＭＭＳＥ）技法に基づいてフィルタにかけることを備える、
請求項１７に記載の方法。
【請求項１９】
前記アダマール行列は、２つの行および２つの列を有する、
請求項１５に記載の方法。
【請求項２０】
前記アダマール行列は、４つの行および４つの列を有する、
請求項１５に記載の方法。
【請求項２１】
Ｍ個の直交列を有する行列を使用してデータのサブブロックを拡散することによって生成された拡散データストリームを受信するように構成された受信機と、なお、前記拡散することは、前記拡散されたデータストリームを生成するために、データの各サブブロックをＭ回繰り返し、前記繰り返されたサブブロックのうちの１つに前記行列の各行を適用することを備える、
前記受信された拡散データストリームのサブブロックを結合するように構成された結合器と、を備え、前記結合することは、Ｍ個の直交行を有する前記行列に基づいてＭセットの結合されたサブブロックを生成することであり、
前記行列は、アダマール行列である、
ワイヤレス通信のための装置。
【請求項２２】
第２のサイズの拡散サブブロックを生成するために複数の第１のサイズの結合された拡散サブブロックをデシメートするように構成されたデシメータと、なお、前記第２のサイズは、前記第１のサイズより小さい、
元の非拡散データの推定値を得るために前記第２のサイズの拡散サブブロックをイコライズするように構成されたイコライザと、
をさらに備える請求項２１に記載の装置。
【請求項２３】
前記イコライザは、時間領域データ推定値を得るために、周波数領域でフィルタにかけるように構成されたフィルタと、フィルタにかけられた周波数領域データに逆高速フーリエ変換（ＩＦＦＴ）を適用するよう構成された回路と、
を備える、請求項２２に記載の装置。
【請求項２４】
前記周波数領域でフィルタにかけるよう構成された前記フィルタは、最小平均二乗誤差（ＭＭＳＥ）技法に基づいてフィルタにかけるよう構成された回路を備える、
請求項２３に記載の装置。
【請求項２５】
前記アダマール行列は、２つの行および２つの列を有する、
請求項２１に記載の装置。
【請求項２６】
前記アダマール行列は、４つの行および４つの列を有する、
請求項２１に記載の装置。
【請求項２７】
Ｍ個の直交列を有する行列を使用してデータのサブブロックを拡散することによって生成された拡散データストリームを受信するための手段と、なお、前記拡散することは、前記拡散されたデータストリームを生成するためにデータの各サブブロックをＭ回繰り返すことと、前記繰り返されたサブブロックのうちの１つに前記行列の各行を適用することとを備える、
前記受信された拡散データストリームのサブブロックを結合するための手段と、を備え、前記結合することは、Ｍ個の直交行を有する前記行列に基づいてＭセットの結合されたサブブロックを生成することであり、
前記行列は、アダマール行列である、
ワイヤレス通信のための装置。
【請求項２８】
第２のサイズの拡散サブブロックを生成するために複数の第１のサイズの結合された拡散サブブロックをデシメートするための手段と、なお、前記第２のサイズは、前記第１のサイズより小さい、
当初の非拡散データの推定値を得るために前記第２のサイズの拡散サブブロックをイコライズするための手段と、
をさらに備える請求項２７に記載の装置。
【請求項２９】
前記イコライズするための手段は、時間領域データ推定値を得るために周波数領域でフィルタにかけることと、フィルタにかけられた周波数領域データに逆高速フーリエ変換（ＩＦＦＴ）を適用することと、
を備える、請求項２８に記載の装置。
【請求項３０】
前記周波数領域でフィルタにかけることは、最小平均二乗誤差（ＭＭＳＥ）技法に基づいてフィルタにかけることを備える、
請求項２９に記載の装置。
【請求項３１】
前記アダマール行列は、２つの行および２つの列を有する、
請求項２７に記載の装置。
【請求項３２】
前記アダマール行列は、４つの行および４つの列を有する、
請求項２７に記載の装置。
【請求項３３】
Ｍ個の直交列を有する行列を使用してデータのサブブロックを拡散することによって生成された拡散データストリームを受信するために実行可能な命令と、なお、前記拡散することは、前記拡散されたデータストリームを生成するためにデータの各サブブロックをＭ回繰り返すことと、前記繰り返されたサブブロックのうちの１つに前記行列の各行を適用することと、を備える、
前記受信された拡散データストリームのサブブロックを結合するために実行可能な命令と、で符号化されたコンピュータ可読媒体を備え、前記結合することは、Ｍ個の直交行を有する前記行列に基づいてＭセットの結合されたサブブロックを生成することであり、
前記行列は、アダマール行列である、
ワイヤレス通信のためのコンピュータプログラム製品。
【請求項３４】
少なくとも１本のアンテナと、
Ｍ個の直交列を有する行列を使用してデータのサブブロックを拡散することによって生成された拡散データストリームを前記少なくとも１本のアンテナを介して受信するように構成された受信機と、なお、前記拡散することは、前記拡散されたデータストリームを生成するためにデータの各サブブロックをＭ回繰り返すことと、前記繰り返されたサブブロックのうちの１つに前記行列の各行を適用することと、を備える、
前記受信された拡散データストリームのサブブロックを結合するように構成された結合器と、を備え、前記結合することは、Ｍ個の直交行を有する前記行列に基づいてＭセットの結合されたサブブロックを生成することであり、
前記行列は、アダマール行列である、
ワイヤレス通信のための装置。
【国際調査報告】
2011520403.tif 000036
2011520403.tif 000037
2011520403.tif 000038
2011520403.tif 000039